(57)【要約】【課題】経済利益を向上することだけでなく、大量の廃棄物の体積が大幅に縮小されて、環境に対する汚染を低減できるプラスチック材と紙材を回収する処理装置を提供する。【解決手段】少なくとも一つの粉砕装置と、少なくとも一つの攪拌装置と、沈下装置とが含有され、処理待ちの廃棄材を、粉砕や攪拌と沈下等の分離方式により、プラスチック材や紙材と廃棄材に分離する。粉砕と選別の分離処理を繰り返して、同時に、二重にプラスチック材と紙材を回収する。【選択図】図１
0003111667.tif 000002
【実用新案登録請求の範囲】
【請求項１】
処理待ちの廃棄材を、プラスチック材と紙材と廃棄材に分離する処理装置であって、
処理待ちの廃棄材を粉砕しながら水を供給して、水と当該プラスチック材と当該紙材と当該廃棄材の混合物を形成する、少なくとも一つの粉砕装置と、
当該プラスチック材と当該紙材と当該廃棄材を攪拌しながら水を供給して、当該廃棄材と当該紙材と当該プラスチック材の比重が異なることにより、当該廃棄材と当該紙材と当該プラスチック材が、それぞれに、当該攪拌装置から排出され、排出される時、当該プラスチック材に、付着紙材と付着廃棄材が着いている、少なくとも一つの攪拌装置と、
重力沈下により、当該プラスチック材に付着する当該付着紙材と当該付着廃棄材を、完全に分離させ、分離された後の当該プラスチック材を、脱水装置へ送り、乾燥して回収する、沈下装置と、が含有される、
ことを特徴とするプラスチック材と紙材を回収する処理装置。
【請求項２】
当該粉砕装置と当該攪拌装置と当該沈下装置と当該脱水装置との間には、それぞれに、当該廃棄材と当該紙材と当該プラスチック材を運搬するための運搬装置が設けられ、当該運搬装置内に、当該紙材を洗い流して分離するための水洗い装置が設けられ、そして、当該紙材が回収される、ことを特徴とする請求項１に記載のプラスチック材と紙材を回収する処理装置。
【請求項３】
当該運搬装置は、螺旋運搬型である、ことを特徴とする請求項２に記載のプラスチック材と紙材を回収する処理装置。
【請求項４】
各当該運搬装置と当該粉砕装置の下には、洗い流された当該紙材と水を回収するための製紙用パルプ回収槽が設けられ、そして、第１の固液分離装置により当該紙材と水が分離される、ことを特徴とする請求項２に記載のプラスチック材と紙材を回収する処理装置。
【請求項５】
吸い上げモータにより、当該沈下装置内の水と当該付着紙材と当該付着廃棄材を第２の固液分離装置へ吸い上げ、当該付着紙材と当該付着廃棄材と水が分離される、ことを特徴とする請求項１に記載のプラスチック材と紙材を回収する処理装置。
【請求項６】
当該沈下装置は、収納室であり、その内部には、複数のシートが設けられ、当該シートは、高さの順に配置されて複数の凹槽が形成され、当該収納置の先端に、当該収納室に対して水を供給するための供水管路が設けられる、ことを特徴とする請求項１に記載のプラスチック材と紙材を回収する処理装置。
【請求項７】
当該攪拌装置の下には、排出管路が設置され、当該排出管路には、当該廃棄材を案内して排出するための二つのストップバルブが設けられる、ことを特徴とする請求項１に記載のプラスチック材と紙材を回収する処理装置。
【請求項８】
当該脱水装置は、押出し型式や遠心型であり、プラスチック材回収槽により、当該プラスチック材を回収する、ことを特徴とする請求項１に記載のプラスチック材と紙材を回収する処理装置。
【請求項９】
当該処理待ちの廃棄材は、運搬コンベアにより、当該粉砕装置へ運搬される、ことを特徴とする請求項１に記載のプラスチック材と紙材を回収する処理装置。
【請求項１０】
当該廃棄材と当該紙材と当該プラスチック材との比重関係は、当該廃棄材が最大、当該紙材が中間、当該プラスチック材が最小である、ことを特徴とする請求項１に記載のプラスチック材と紙材を回収する処理装置。
【考案の詳細な説明】
【技術分野】
【０００１】
本考案は、回収装置に関し、特に、回収率の良い且つ操作が便利的であるプラスチック材と紙材を回収する処理装置に関する。
【背景技術】
【０００２】
環境保護活動が進められると、各種類の資源が、一定の割合で回収され、特に、紙類の資源回収には、成果を挙げて、地球全体の紙類資源は、４０%以上が回収される。しかしながら、わが国において、天然資源が不足であるため、造紙産業の原材料は、7５％が回収廃紙からであり、造紙工場は、まず、廃棄物の多い廃紙材を除外するが、除外される廃紙材には、利用できる資源が多めに含まれるため、ゴミとして廃棄されるか埋められるかにより、資源の無駄や環境の汚染になり、例えば、廃紙資源には、大量な、回収できるプラスチック材と紙材とが含まれ、例えば、ポリプロピレン(PP)やポリエチレン(PE)等のプラスチック材や紙材が、回収利用できるものであるため、より効率的に分類回収されることは、至急の課題である。
【０００３】
本考案は、上記の課題を解消するため、効率的にプラスチック材と紙材を回収する処理装置を提供する。
【考案の開示】
【考案が解決しようとする課題】
【０００４】
本考案の主な目的は、粉砕と選別の分離処理を繰り返して、同時に、二重にプラスチック材と紙材を回収し、経済利益を向上する、プラスチック材と紙材を回収する処理装置を提供する。
【０００５】
本考案のもう一つの目的は、造紙産業において、大量の廃棄物の体積を大幅に縮小して、環境に対する汚染を低減できる、プラスチック材と紙材を回収する処理装置を提供する。
【課題を解決するための手段】
【０００６】
本考案に係わるプラスチック材と紙材を回収する処理装置によれば、処理待ちの廃棄材を粉砕しながら水を供給して、水とプラスチック材と紙材と廃棄材の混合物を形成する少なくとも一つの粉砕装置と、プラスチック材と紙材と廃棄材を攪拌しながら水を供給する少なくとも一つの攪拌装置と、沈下装置と、が含有され、廃棄材と紙材とプラスチック材の比重が異なることにより、廃棄材と紙材とプラスチック材が、それぞれに、攪拌装置から排出され、排出される時、プラスチック材には、一部の紙材と廃棄材が着いているから、紙材と廃棄材が着いているプラスチック材を沈下装置へ送り、重力沈下により、プラスチック材に着いている紙材と廃棄材を、完全に分離させ、分離された後のプラスチック材を、脱水装置へ送り、乾燥して回収する。
【０００７】
以下、図面を参照しながら、具体的な実施例により、本考案を説明し、本考案の目的や技術内容、特徴及び効果が分かる。
【考案を実施するための最良の形態】
【０００８】
本考案は、プラスチック材と紙材を回収する処理装置であり、図１乃至図４を参照しながら、当該処理装置は、粉砕装置１００と、攪拌装置２００と、沈下装置３００とが含有され、当該プラスチック材と紙材を回収する処理装置によれば、処理待ちの廃棄材１０が処理されて、プラスチック材と紙材と廃棄材に分離され、プラスチック材と紙材がそれぞれに回収され、また、装置同士の間には、廃棄材と紙材とプラスチック材を運搬するための螺旋運搬型の運搬装置１２が設けられ、当該運搬装置１２には、水洗い装置１４が設けられ、紙材を洗い流して分離し、また、当該運搬装置１２の下には、洗い流された紙材と水を回収するための製紙用パルプ回収槽１６が設けられ、そして、固液分離装置１８により、紙材と水とが分離される。
【０００９】
そして、粉砕装置１００の構造を詳しく説明すると、図２のように、当該粉砕装置１００の先端には、フィード運搬コンベア１０２が設けられ、当該フィード運搬コンベア１０２により、処理待ちの廃棄材１０が、粉砕装置１００へ送られ、当該粉砕装置１００は、押出しねじ切り方式により、処理待ちの廃棄材１０が、粉砕されて、プラスチック材と紙材と廃棄材に分離され、粉砕する時、水を供給しながら混合して洗い流し、この時に流される水により、一部の紙材と廃棄材が洗い流されて分離され、そして、回収槽１０４により、洗い流されて分離された一部の紙材と廃棄材が回収される。残りの、洗い流されて分離されていないプラスチック材と紙材と廃棄材は、対応する運搬装置１２により攪拌装置２００へ運搬され、また、運搬装置１２において、水洗い装置１４により、一部の紙材が洗い流されて分離され、製紙用パルプ回収槽１６により、洗い流された紙材と水が回収される。
【００１０】
攪拌装置２００の構造は、図３のように、粉砕装置１００により洗い流されたプラスチック材と紙材と廃棄材を、回収そして攪拌し、当該攪拌装置２００の内部には、フィン式攪拌機２０２が設けられ、攪拌装置２００が攪拌する時、水を供給し続くことにより混合させ、また、当該攪拌装置２００の底部には、排出管路２０４が設けられ、当該排出管路２０４には、ゲート２０６とゲート２０８が設けられ、ゲート２０６とゲート２０８とが、互いに反対のスイッチング関係であり、また、排出管路２０４の下には、排出される廃棄材を回収するための廃棄材回収槽２１０が設置され、攪拌装置２００上部には、案内板２１２が設けられ、攪拌装置２００から溢れ出た水を、対応する運搬装置１２へ案内し、同じように、運搬装置１２において、一部の紙材が、洗い流されて分離され、製紙用パルプ回収槽１６によって回収される。
【００１１】
攪拌装置２００が攪拌する時、プラスチック材と紙材と廃棄材は、比重が異なることにより、例えば、金属と石等の比重が大きい廃棄材が、攪拌装置２００の底部に沈下し、例えば、製紙用パルプの比重が上記より小さい紙材が、攪拌装置２００の中段を浮き、そして、比重がもっとも小さいプラスチック材が、水面を浮き、この時、水面を浮くプラスチック材自身には、僅かの紙材と廃棄材が付着し、当該付着した紙材と廃棄材は、付着紙材と付着廃棄材と称され、また、底部に沈下した廃棄材は、排出管路２０４から排出され、排出される時、排出管路２０４のゲート２０６が閉鎖され、ゲート２０８が開放されて廃棄材を排出し、排出終了後、ゲート２０８を閉鎖して、ゲート２０６を開放し、沈下した廃棄材が排出管路２０４に入り、ゲート２０６とゲート２０８が、互いに反対のスイッチング関係であるため、排出する時、当該攪拌装置２００の内の水を大量的に流失されることが防止され、比重がもっとも小さいプラスチック材は、水流により案内板２１２に溢れて出て、案内板２１２により対応する運搬装置１２へ案内されて洗い流され、一部の紙材が製紙用パルプ回収槽１６に洗い流され、そして、運搬装置１２により、洗い流された付着紙材と廃棄材を有するプラスチック材は、沈下装置３００へ運搬される。
【００１２】
最後に、沈下装置３００の構造は、図４のように、収納室であり、その内部には、複数のシート３０２が設けられ、シート３０２は、高さの順に配置されて三つの凹槽３０４が形成され、また、収納室の先端には、収納室に対して水を供給するための供水管路３０６が設置され、収納室の末端には、沈下装置３００から溢れ出た水を、対応する運搬装置１２へ案内するための案内板３０８が設けられ、運搬装置１２から脱水装置３１０へ運搬し、当該脱水装置３１０は、押出し型や遠心型であり、当該プラスチック材を回収するためのプラスチック材回収槽３１２が設置される。
【００１３】
沈下装置３００において、供水管路３０６から水が供給されて、各凹槽３０４に水が一杯になると、水が案内板３０８の方向へ流れ、付着紙材と付着廃棄材は、自身の比重が水より大きいため、三つの凹槽３０４に沈下し、これにより、付着紙材と付着廃棄材は、それぞれに凹槽３０４の底部に沈下し、付着紙材と付着廃棄材が、ある程度に累積すると、吸い上げモータにより、凹槽３０４内の水と付着紙材と付着廃棄材を固液分離装置３１４へ吸い上げて、付着紙材と付着廃棄材と水は、分離される。プラスチック材は、自身の浮力により、液面を浮き、当該プラスチック材は、水とともに対応する運搬装置１２へ流れされ、当該運搬装置１２から脱水装置３１０へ運搬されて脱水され、そして、プラスチック材回収槽３１２に回収される。
【００１４】
また、固液分離装置１８と固液分離装置３１４によって分離された水と紙材は、回収されて再利用でき、また、粉砕装置１００と攪拌装置２００の数は、ユーザーの必要に応じて、増加でき、例えば、粉砕装置１００と攪拌装置２００を一組ずつ増加して、より精密的に分離工程を行うこともでき、例えば、粗粉砕と細粉砕そして１回目攪拌と２回目攪拌等を実施する。
【００１５】
本考案は、粉砕と選別の分離処理を繰り返すことにより、造紙産業において、大量の廃棄物の体積が大幅に縮小でき、環境に対する汚染を低減でき、また、同時に、二重にプラスチック材と紙材を回収して、経済利益を向上できる。
【００１６】
以上の実施例は、ただ、本考案のより良い実施例であり、実施例による説明により、本考案の特徴や目的そして内容は、熟練者であれば、容易に分かるが、本考案の登録請求の範囲は、それによって制限されない。本考案に係わる登録請求の範囲に記載される構造や形状、特徴及び精神に従って、等価の変更や修正は、全てが、本考案の登録請求の範囲に含まれる。
【図面の簡単な説明】
【００１７】
【図１】本考案の構造概念図
【図２】本考案の粉砕装置の構造概念図
【図３】本考案の攪拌装置の構造概念図
【図４】本考案の沈下装置の構造概念図
【符号の説明】
【００１８】
１０…処理待ちの廃棄材
１２…運搬装置
１４…水洗い装置
１６…製紙用パルプ回収槽
１８…固液分離装置
１００…粉砕装置
１０２…フィード運搬コンベア
１０４…回収槽
２００…攪拌装置
２０２…フィン式攪拌機
２０４…排出管路
２０６…ゲート
２０８…ゲート
２１０…廃棄材回収槽
２１２…案内板
３００…沈下装置
３０２…シート
３０４…凹槽
３０６…供水管路
３０８…案内板
３１０…脱水装置
３１２…プラスチック材回収槽
３１４…固液分離装置
【図１】
0003111667.tif 000003
【図２】
0003111667.tif 000004
【図３】
0003111667.tif 000005
【図４】
0003111667.tif 000006